(57)【要約】      （修正有）【課題】首周りの違和感や不快感を軽減でき、長さや圧迫感の調節を楽にでき、カニューレを安定した状態で保持固定でき、しかも低廉化できる気管切開カニューレ固定用ベルトを提供する。【解決手段】頚部１に回す帯状の本体部２と、この本体部２の両端から本体部２の長手方向に沿って延長状に突き出している紐状部材３とで形成する。この紐状部材３を、本体部２の幅方向に間隔Ｄをあけて本体部２の両端に夫々一対設ける。本考案品は、この紐状部材３を気管切開カニューレ４の支持フレーム５に連結して気管切開カニューレ４を頚部１に固定するのに使用する。【選択図】図１
0003195704.tif 000002
【実用新案登録請求の範囲】
【請求項１】
頚部に回される帯状の本体部と、この本体部の両端から本体部の長手方向に沿って延長状に突き出されている紐状部材とで形成され、この紐状部材を気管切開カニューレの支持フレームに連結して気管切開カニューレを頚部に固定するのに使用する気管切開カニューレ固定用ベルトであって、上記の紐状部材が、本体部の幅方向に間隔をあけて本体部の両端に夫々一対設けられていることを特徴とする気管切開カニューレ固定用ベルト。
【請求項２】
請求項１記載の気管切開カニューレ固定用ベルトであって、一対の紐状部材が本体部の両端から内方に離されて取り付けられ、本体部の外面の両端側に、一対の紐状部材を気管切開カニューレの支持フレームの貫通孔に通して輪状に結んだときの結び目を配置するための箇所が設けられていることを特徴とする気管切開カニューレ固定用ベルト。
【請求項３】
請求項２記載の気管切開カニューレ固定用ベルトであって、一対の紐状部材が、気管切開カニューレの支持フレームの貫通孔に通される長い紐状部材と、この長い紐状部材と結び合わされる短い紐状部材とで形成されていることを特徴とする気管切開カニューレ固定用ベルト。
【考案の詳細な説明】
【技術分野】
【０００１】
本考案は、気管切開カニューレ固定用ベルトに関し、更に詳しくは気管切開孔から気管内に挿入される気管切開カニューレを固定するのに使用するベルトに関するものである。
【背景技術】
【０００２】
従来この種のベルトとしては、例えば特許文献１に記載されているものがある。
この従来品は、バンドの中央部分にゴム紐が縫い付けられ、このバンドの両端に紐状の、例えば雄型の面状ファスナーが１本づつ取り付けられ、この面状ファスナーがくっ付けられる例えば雌型の面状ファスナーがバンドの両端側の外面に取り付けられている。
【０００３】
ところで、この種のベルト（バンド）は、消耗品であり、カニューレが高価であることから、患者の負担を少しでも軽減できるよう、安価に形成されているのが望ましい。
またこの種のベルトは、身動きのできない患者の頚部に巻き付けて使用するものであるから、汗を吸い取り易く、また肌触りが良好で、しかも患者に圧迫感を与えることなく、患者の頚部の太さ等に合わせて、簡単、迅速に、且つ低コストで固定具合を調節できるよう形成されているのが望ましい。
またこの種のベルトは、カニューレが位置ずれすると患者の生命にも係わるから、患者が、例えば首を傾げても、カニューレを安定した状態で保持、固定できるよう形成されているのが望ましい。
【０００４】
しかるに特許文献１に記載の従来品は、面状ファスナーをカニューレの支持フレームの貫通孔に通し、この面状ファスナーをバンドの外面の面状ファスナーにくっ付けてカニューレを固定する構造であった。
従って、従来品の場合は、面状ファスナーが患者の頚部に触れて不快感を患者に与えることがあり、また面状ファスナーが、寝具等に触れてくっ付く、という問題があった。
また従来品は、面状ファスナーを利用しているため、コストが高く付くのを避けられなかった。
また従来品は、１本の面状ファスナーで気管切開カニューレの支持フレームを横方向に引っ張ってカニューレを固定する構造のため、従来品によると、カニューレの支持フレームの動きを確実に抑えることができない、という問題点があった。
【先行技術文献】
【特許文献】
【０００５】
【特許文献１】特開２００８−２６４４５７号公報
【考案の概要】
【考案が解決しようとする課題】
【０００６】
本考案は、このような従来品の問題点に鑑み、提案されたものである。
従って本考案の解決しようとする技術的課題は、首周りの違和感や不快感を軽減でき、長さや圧迫感の調節を楽にでき、カニューレを安定した状態で保持固定でき、しかも低廉化できるよう形成した気管切開カニューレ固定用ベルトを提供することにある。
【課題を解決するための手段】
【０００７】
本考案は、上記の課題を解決するため、次のような技術的手段を採る。
即ち本考案は、図１等に示されるように、頚部１に回される帯状の本体部２と、この本体部２の両端から本体部２の長手方向に沿って延長状に突き出されている紐状部材３とで形成され、この紐状部材３を気管切開カニューレ４の支持フレーム５に連結して気管切開カニューレ４を頚部１に固定するのに使用する気管切開カニューレ固定用ベルトであって、上記の紐状部材３が、本体部２の幅方向に間隔Ｄをあけて本体部２の両端に夫々一対設けられていることを特徴とする（請求項１）。
【０００８】
本考案の場合、本体部２と紐状部材３の材質は、任意であるが、肌触りを良くし、また価格を抑えることができるよう、両方とも綿等の布で形成されるのが好ましい。この場合、紐状部材３は、平紐でも丸紐でも良い。
【０００９】
而して、本考案は、図１〜図４に示されるように、一対の紐状部材３が本体部２の両端から内方に離されて取り付けられ、本体部２の外面の両端側に、一対の紐状部材３を気管切開カニューレ４の支持フレーム５の貫通孔５ａに通して輪状に結んだときの結び目６を配置するための箇所７が設けられているのが好ましい（請求項２）。
なぜならこれによると、結び目６が患者の頚部１に直接触れることを防止でき、結び目６を原因とする違和感や不快感を一掃できるからである。
【００１０】
またこの場合、本考案は、図３に示されるように、一対の紐状部材３が、気管切開カニューレ４の支持フレーム５の貫通孔５ａに通される長い紐状部材３ａと、この長い紐状部材３ａと結び合わされる短い紐状部材３ｂとで形成されているのが好ましい（請求項３）。
本考案は、図４等に示されるように、紐状部材３の両方が同じ長さに形成されているのでも良いが、この請求項３に記載の本考案品の場合は、紐状部材３の材料を節減でき、その分、本考案品を安価に提供できるからである。またこの場合は、長い紐状部材３ａを支持フレーム５の貫通孔５ａに通し、短い紐状部材３ｂと結び合わすことを視覚的に理解し易いからである。またこれによると、両方とも長く形成されている場合より、結び目６から垂れる部分の長さを短く抑えることができ、この種の垂れが頚部１に触れて患者に違和感や不快感を与える問題を解消できるからである。
【考案の効果】
【００１１】
本考案は、このように気管切開カニューレの支持フレームに連結される紐状部材が、本体部の両端に、本体部の幅方向に間隔をあけて夫々一対設けられている。
従って本考案によれば、患者の首周りの違和感や不快感を軽減でき、長さや圧迫感の調節を楽にでき、カニューレを安定した状態で保持固定でき、しかも安価に提供できるものである。
【図面の簡単な説明】
【００１２】
【図１】本考案のベルトの好適な一実施形態を示し、Ａは使用状態時の斜視図、Ｂは要部正面図である。
【図２】同上ベルトの使用状態時の正面図である。
【図３】同上ベルトの縦向き時の正面図である。
【図４】同上ベルトの他の実施形態を示す縦向き時の正面図である。
【図５】同上ベルトの他の実施形態を示す縦向き時の正面図である。
【図６】図５のベルトの使用状態時の正面図である。
【図７】同上ベルトの更に他の実施形態を示す縦向き時の正面図である。
【考案を実施するための形態】
【００１３】
以下、本考案を実施するための好適な一実施形態を説明する。
本考案は、図１等に示されるように、患者の頚部１に回される帯状の本体部２と、この本体部２の両端から本体部２の長手方向に沿って延長状に突き出されている紐状部材３とで形成されている。４は、気管切開カニューレであり、５はこのカニューレ４の支持フレームである。
【００１４】
本体部２と紐状部材３は、この実施形態では共に柔らかい肌触りの良い、例えば綿等の布で形成されている。紐状部材３は、平紐状に形成され、この実施形態では本体部２の強度が高くなるよう、また本体部２が適度の撓みや柔軟性を発揮することができるよう、本体部２に、その長手方向に沿って平行状に縫い付けられている。なお、本考案の場合、布は不織布でも良い。
【００１５】
また本考案の場合、紐状部材３は、本体部２の幅方向に間隔Ｄをあけて本体部２の両端に夫々一対設けられている。紐状部材３の離される間隔Ｄは、本体部２や紐状部材３の幅等に鑑み、適宜選定されるので良い。この実施形態では、図１Ｂ、図３に示されるように、本体部２の幅Ｗ１が約３８ｍｍ、紐状部材３の幅Ｗ２が約１０ｍｍ、紐状部材３の間隔Ｄが約１０ｍｍに選定されている。
【００１６】
また、この実施形態の本考案品は、図１〜図３に示されるように、一対の紐状部材３が本体部２の両端から内方に離されて取り付けられ、本体部２の外面の両端側に、一対の紐状部材３を気管切開カニューレ４の支持フレーム５の貫通孔５ａに通して輪状に結んだときの結び目６を配置するための箇所７が設けられている。
なお、この実施形態の場合、紐状部材３の開放状の先端は、貫通孔５ａに通し易くなるよう、斜めにカットされている。
【００１７】
またこの実施形態の本考案品は、図３等に示されるように、一対の紐状部材３が、気管切開カニューレ４の支持フレーム５の貫通孔５ａに通される長い紐状部材３ａと、この長い紐状部材３ａと結び合わされる短い紐状部材３ｂとで形成されている。この場合、長い紐状部材３ａと短い紐状部材３ｂの長さは、本体部２の左右の側で同一状に形成されている。
【００１８】
また一対の紐状部材３は、図２に示されるように、本体部２の一方の端部（図面上左側）では、短い紐状部材３ｂが上側に、長い紐状部材３ａが下側に配置され、また本体部２の他方の端部（図面上右側）では短い紐状部材３ｂが下側に、長い紐状部材３ａが上側に配置されている。
【００１９】
従って、この実施形態の場合は、気管切開カニューレ４の支持フレーム５を介して結び目６を、図面上において略対角線上に配置して紐状部材３を張ることができる。それ故、これによると、張り具合の調整を左右でバランス良くでき、また患者が動いて頚部１が傾いても、カニューレ４を安定した状態で確実に保持固定できる。
【００２０】
次に、この実施形態の本考案品の使用例を、図１等に従って説明する。
【００２１】
看護師等の使用者は、長い紐状部材３ａの先を、気管切開カニューレ４の支持フレーム５の貫通孔５ａに通し、結び目６を配置するための箇所７で短い紐状部材３ｂと結び合わす。使用者は、このような操作を気管切開カニューレ４の支持フレーム５の左右側で、締め付け具合や圧迫具合を調節しながら行い、気管切開カニューレ４の支持フレーム５と本考案品とを連結し、気管切開カニューレ４を固定する。
【００２２】
而して、本考案品は、図１等に示されるように、一対の紐状部材３が間隔Ｄをあけて本体部２に取り付けられている。従って、本考案品の場合は、紐状部材３が、図２に示されるように、気管切開カニューレ４の支持フレーム５を介して交差状に張られることになる。それ故、これによると、１本の紐状部材３で横方向に張って気管切開カニューレ４の支持フレーム５を固定する場合に比べ、気管切開カニューレ４の支持フレーム５の動きを制止し易くなり、支持フレーム５をしっかりと確実に保持固定できる。
【００２３】
以上の処において、本考案の場合、紐状部材３は、図４、図７に示されるように、本体部２の両側において、長さが同一に形成されているのでも良い。
【００２４】
また本考案品は、上記した結び目６を配置するための箇所７が省略され、図５、図７に示されるように、紐状部材３が、本体部２の両端部に縫い付けられて設けられているのでも良い。
【００２５】
また紐状部材３は、上例では本体部２の長手方向に沿って本体部２に平行状に縫い付けられているが、本考案はこれに限られず、図７に示されるように、本体部２の両端に、紐状部材３の基端が縫い付けられているのでも良い。
【符号の説明】
【００２６】
１      頚部
２      本体部
３      紐状部材
４      気管切開カニューレ
５      支持フレーム
Ｄ      間隔
【図１】
0003195704.tif 000003
【図２】
0003195704.tif 000004
【図３】
0003195704.tif 000005
【図４】
0003195704.tif 000006
【図５】
0003195704.tif 000007
【図６】
0003195704.tif 000008
【図７】
0003195704.tif 000009